(57)【要約】【課題】接続端子間の接触不良や、接続端子の破損を抑制することが可能な、接続構造及び電子機器を提供する。【解決手段】接続構造は、第１の接続端子２が所定の範囲に移動可能に保持されている第１の接続部５０と、第１の接続部５０に接続され、第１の接続端子２に接続される第２の接続端子３が固定されている第２の接続部７０と、を備え、第１の接続部５０は、第１の接続端子２が接続される第２の接続端子３の反対方向の移動を規制する弾性変形部材６２，６３を有し、第２の接続部７０と接続される際に、第１の接続部５０と第２の接続部７０との距離が最短となった距離から所定の距離をおいて嵌合され、第２の接続部７０に接続される過程において弾性変形部材６２，６３を変形させ、第１の接続部５０と第２の接続部７０とが嵌合した際に、弾性変形部材６２，６３の変形を開放する。【選択図】図１６
2016051541.tif 000002
【特許請求の範囲】
【請求項１】
第１の接続端子が所定の範囲に移動可能に保持されている第１の接続部と、
前記第１の接続部に接続され、前記第１の接続端子に接続される第２の接続端子が固定されている第２の接続部と、
を備え、
前記第１の接続部は、
前記第１の接続端子が接続される前記第２の接続端子の反対方向の移動を規制する弾性変形部材を有し、前記第２の接続部と接続される際に、前記第１の接続部と前記第２の接続部との距離が最短となった距離から所定の距離をおいて嵌合され、
前記第２の接続部に接続される過程において前記弾性変形部材を変形させ、前記第１の接続部と前記第２の接続部とが嵌合した際に、前記弾性変形部材の変形を開放することを特徴とする接続構造。
【請求項２】
前記第１の接続端子は、前記第１の接続部と前記第２の接続部とが嵌合した際に、前記第２の接続端子により保持されることを特徴とする請求項１に記載の接続構造。
【請求項３】
前記第１の接続端子及び前記第２の接続端子は、同軸構造で複数の電極を備えることを特徴とする請求項１または２に記載の接続構造。
【請求項４】
第１の接続端子が所定の範囲に移動可能に保持されている第１の接続部と、
前記第１の接続部に接続され、前記第１の接続端子に接続される第２の接続端子が固定されている第２の接続部と、
を備え、
前記第１の接続部は、前記第１の接続端子が接続される前記第２の接続端子の反対方向の移動を規制する弾性変形部材を有し、
前記第１の接続端子は、
前記第１の接続部と前記第２の接続部とが接続される前では前記第１の接続部に保持され、
前記第１の接続部と前記第２の接続部とが接続される過程では前記弾性変形部材を変形させ、前記第２の接続端子に接続され、
前記第１の接続部と前記第２との接続部との接続が完了すると、前記弾性変形部材の変形が開放され、前記第２の接続端子に接続された状態で保持されることを特徴とする接続構造。
【請求項５】
請求項１〜４いずれか１項に記載の接続構造を備えた電子機器であって、
前記第１の接続部が、他の電子機器の前記第２の接続部と接続することにより連結可能なことを特徴とする電子機器。
【発明の詳細な説明】
【技術分野】
【０００１】
本発明は、電子機器を電気的に接続するための接続構造、及びその接続構造を備えた電子機器に関する。
【背景技術】
【０００２】
特許文献１には、複数の電子機器を連結して電気的に接続するための接続構造を備えた電子機器の一例が記載されている。
【先行技術文献】
【特許文献】
【０００３】
【特許文献１】特開２００６−３４０４４９号公報
【発明の概要】
【発明が解決しようとする課題】
【０００４】
特許文献１には、電子機器の一形態である充電器を連結して電気的に接続することが記載されている。具体的には、複数の充電器は、一方の接続端子であるプラグが固定されているプラグ側連結部と、他方の接続端子であるジャックが固定されているジャック側連結部とを、それぞれ備えている。
これら充電器のプラグ側連結部とジャック側連結部とを組み合わせて連結し、その内の一の充電器に電源を供給することで、連結された他の充電器にも電源が供給される。従って、互いに連結された複数の充電器にそれぞれ無線機等の電子機器をセットすることで、これらの電子機器を同時に充電することができる。
【０００５】
特許文献１に記載されているような連結可能な構造の充電器では、通常、プラグ及びジャックがプラグ側連結部及びジャック側連結部にそれぞれ固定されている。
そのため、プラグ側連結部とジャック側連結部とを連結するときに、それぞれの寸法公差によるばらつき等によって、プラグをジャックにスムーズに挿入できないことがある。
その結果、プラグとジャックとの接触不良が発生したり、プラグやジャックに強い衝撃力が加わって、プラグやジャックが破損したりすることがある。
【０００６】
また、プラグとジャックとがスムーズに接続された場合においても、落下などの不慮の事故が発生した場合、落下の衝撃が伝わってプラグやジャックが破損することがある。
【０００７】
本発明はこのような問題点に鑑み、接続端子間の接触不良や、接続端子の破損を防止することが可能な、接続構造及び電子機器を提供することを目的とする。
【課題を解決するための手段】
【０００８】
本発明は、上述した従来の技術の課題を解決するため、第１の接続端子が所定の範囲に移動可能に保持されている第１の接続部と、前記第１の接続部に接続され、前記第１の接続端子に接続される第２の接続端子が固定されている第２の接続部と、を備え、前記第１の接続部は、前記第１の接続端子が接続される前記第２の接続端子の反対方向の移動を規制する弾性変形部材を有し、前記第２の接続部と接続される際に、前記第１の接続部と前記第２の接続部との距離が最短となった距離から所定の距離をおいて嵌合され、前記第２の接続部に接続される過程において前記弾性変形部材を変形させ、前記第１の接続部と前記第２の接続部とが嵌合した際に、前記弾性変形部材の変形を開放することを特徴とする接続構造を提供する。
【０００９】
また、本発明は、上述した従来の技術の課題を解決するため、第１の接続端子が所定の範囲に移動可能に保持されている第１の接続部と、前記第１の接続部に接続され、前記第１の接続端子に接続される第２の接続端子が固定されている第２の接続部と、を備え、前記第１の接続部は、前記第１の接続端子が接続される前記第２の接続端子の反対方向の移動を規制する弾性変形部材を有し、前記第１の接続端子は、前記第１の接続部と前記第２の接続部とが接続される前では前記第１の接続部に保持され、前記第１の接続部と前記第２の接続部とが接続される過程では前記弾性変形部材を変形させ、前記第２の接続端子に接続され、前記第1の接続部と前記第２との接続部との接続が完了すると、前記弾性変形部材の変形が開放され、前記第２の接続端子に接続された状態で保持されることを特徴とする接続構造を提供する。
【００１０】
さらに、本発明は、上述した従来の技術の課題を解決するため、上記いずれかの接続構造を備えた電子機器であって、前記第１の接続部が、他の電子機器の前記第２の接続部と接続することにより連結可能なことを特徴とする電子機器を提供する。
【発明の効果】
【００１１】
本発明の接続構造及び電子機器によれば、接続端子間の接触不良や、接続端子の破損を防止することが可能になる。
【図面の簡単な説明】
【００１２】
【図１】実施形態のクレードル（電子機器）を示す斜視図である。
【図２】図１のクレードルをプラグ側連結部側から見たときの斜視図である。
【図３】実施形態のクレードルが連結された状態を示す斜視図である。
【図４】実施形態のクレードルの分解図である。
【図５】図２のプラグ側連結部の拡大図である。
【図６】実施形態のクレードルのプラグ側連結部を説明するための模式図である。
【図７】実施形態のクレードルの上ケースを裏側から見たときの斜視図である。
【図８】図３のジャック側連結部の拡大図である。
【図９】図１のジャック側連結部の拡大図である。
【図１０】実施形態のクレードルのジャック側連結部を説明するための模式図である。
【図１１】実施形態のクレードルの連結の手順を説明するための斜視図である。
【図１２】実施形態のクレードルの連結の手順を説明するための模式図である。
【図１３】実施形態のクレードルの連結の手順を説明するための斜視図である。
【図１４】実施形態のクレードルの連結の手順を説明するための模式図である。
【図１５】実施形態のクレードルの連結の手順を説明するための模式図である。
【図１６】実施形態のクレードルの連結の手順を説明するための模式図である。
【図１７】実施形態のクレードルどうしが連結した状態を示す斜視図である。
【発明を実施するための形態】
【００１３】
接続構造を備えた電子機器の一形態として、無線機やバッテリ等の電子機器を充電したり、電子機器の充電情報を表示したりするクレードルを例に挙げて説明する。
【００１４】
まず、図１〜図３を用いて、本実施形態のクレードル１の全体構成の概略を説明する。なお、クレードル１の各構成部の詳細については後述する。
【００１５】
クレードル１は、プラグ２（第１の接続端子）を有するプラグ側連結部５０（第１の接続部）と、ジャック３（第２の接続端子）を有するジャック側連結部７０（第２の接続部）と、無線機１００やバッテリ１０１等の電子機器を保持する電子機器保持部９０と、を備えている。
【００１６】
クレードル１のプラグ側連結部５０と、他のクレードル１のジャック側連結部７０とが連結されることによって、クレードル１のプラグ２と、他のクレードル１のジャック３とが電気的に接続される。
【００１７】
電子機器保持部９０は、無線機１００やバッテリ１０１等の電子機器を充電し、これら電子機器のバッテリ１０１の種別情報及び温度情報を検出する第３の接続端子である電子機器接続端子９１を備えている。
電子機器保持部９０は、バッテリ１０１の充電状態を表示する表示部９３を備えている。
【００１８】
図３に示すように、複数のクレードル１を、プラグ側連結部５０とジャック側連結部７０とを組み合わせて連結し、連結された一端のクレードル１に電源を供給することで、連結された他のクレードル１にも電源を供給することができる。
従って、互いに連結された複数のクレードル１に無線機１００やバッテリ１０１等の電子機器をそれぞれセットすることで、これらの電子機器１００，１０１の充電を並行して行うことができる。
本実施形態では、ＡＣ１００Ｖのコンセント１１０から、ＡＣプラグ１１１、ＡＣコード１１２、ＡＣアダプタ１１３、ＤＣコード１１４、及び、図３では見えていないＤＣプラグ１１５を介してクレードル１のジャック３に接続することで電源を供給している。
【００１９】
次に、図４を用いて、クレードル１の構成部材を説明する。
【００２０】
図４に示すように、クレードル１は、上ケース１０と、下ケース２０と、電気回路部３０と、を備えている。
【００２１】
電気回路部３０は、上ケース１０と下ケース２０とが組み合わされた、その内部に収容されている。
電気回路部３０は、プリント配線板３１と、プラグ２と、ジャック３と、電子機器接続端子９１と、ＬＥＤ３２と、ヒューズ３３と、を備えている。
電子機器接続端子９１、ＬＥＤ３２、ヒューズ３３、及び、図示しない充電回路は、プリント配線板３１に実装され、電気的に接続されている。
【００２２】
電子機器接続端子９１は、無線機１００やバッテリ１０１等の電子機器が電子機器保持部９０に保持されたときに、無線機１００やバッテリ１０１の接点と電気的に接続される。
ＬＥＤ３２は、表示部９３の内部に配置され、無線機１００やバッテリ１０１の充電状態を表示する。
ヒューズ３３は、複数のクレードル１が連結した状態において、連結された他のクレードル１に過電流が流れないようにするための保護回路として機能する。
【００２３】
プラグ２は、コネクタ３４を介してプリント配線板３１に着脱自在に装着され、電気的に接続されている。プラグ２は、同軸構造で複数の電極を備えていてもよい。
ジャック３は、コネクタ３５を介してプリント配線板３１に着脱自在に装着され、電気的に接続されている。ジャック３は、同軸構造で複数の電極を備えていてもよい。
ジャック３は、取り付け金具４に取り付けられている。取り付け金具４は、上ケース１０と下ケース２０とが組み合わされることによって固定されている。即ち、ジャック３は、ジャック側連結部７０に固定されている。
【００２４】
次に、図１，図５〜図７を用いて、接続構造を構成するプラグ側連結部５０を説明する。
【００２５】
プラグ側連結部５０は、円筒部５１と、底面部５２と、を備えている。
【００２６】
円筒部５１の軸方向の一端側に底面部５２が形成されている。また、他端側には開口部５１ａが形成されている。
円筒部５１は、ストッパ５７ａ，５７ｂと、ストッパ５８と、ストッパ５９と、を備えている。
【００２７】
ストッパ５７ａ，５７ｂは、円筒部５１の内周面に形成され、かつ、円筒部５１の軸方向における底面部５２と開口部５１ａとの略中間の位置に形成されている。ストッパ５７ａとストッパ５７ｂとは、円筒部５１の中心軸に対して対称に形成されている。
【００２８】
ストッパ５８及びストッパ５９は、円筒部５１の外周面に形成され、かつ、開口部５１ａの近傍に形成されている。ストッパ５８とストッパ５９とは、円筒部５１の中心軸に対して対称に形成されている。
ストッパ５８は、円筒部５１の外周面から略四角形状を有して突出している。
ストッパ５９は、円筒部５１の外周面から略四角形状を有して突出している。
【００２９】
底面部５２は、開口部５３と、環状部５４と、受けリブ５５ａ，５５ｂ，５５ｃ（第２の受けリブ）と、受けリブ５６ａ，５６ｂ（第１の受けリブ）と、を備えている。
なお、プラグ側連結部５０には、環状部５４を覆うように遮蔽シート１２が固着されている。その理由は後述する。
【００３０】
開口部５３は、底面部５２の中心に形成されている。
環状部５４は、底面部５２に、開口部５３を囲うように形成されている。
開口部５３は、底面部５２の中心に円状に形成された開口部５３ａと、開口部５３ａの外周から環状部５４に亘る領域に部分的に開口された開口部５３ｂ，５３ｃとが一体に形成された開口形状を有している。開口部５３ｂと開口部５３ｃとは、円筒部５１の中心軸に対して対称に形成されている。
開口部５３ａ及び環状部５４の各中心は、円筒部５１の中心軸上にそれぞれ位置している。
【００３１】
受けリブ５５ａ〜５５ｃは、底面部５２における環状部５４の外周近傍に、円筒部５１の中心軸に対して周方向に等間隔に配置され、開口部５１ａに向かって凸状に形成されている。
受けリブ５５ａ，５５ｂ，５５ｃには、それぞれの凸状の天面と底面部５２とを接続する傾斜面６０ａ，６０ｂ，６０ｃがそれぞれ対応して環状部５４の外周近傍に沿って形成されている。傾斜面６０ａ〜６０ｃは、開口部５１ａ側から見たときに、受けリブ５５ａ〜５５ｃに対して反時計まわりの方向にそれぞれ形成されている。
【００３２】
受けリブ５６ａ，５６ｂは、底面部５２における円筒部５１の内周面の近傍に、円筒部５１の中心軸に対して対称に配置され、開口部５１ａに向かって凸状に形成されている。
受けリブ５６ａ，５６ｂには、それぞれの凸状の天面と底面部５２とを接続する傾斜面６１ａ，６１ｂがそれぞれ対応して形成されている。傾斜面６１ａ，６１ｂは、開口部５１ａ側から見たときに、受けリブ５６ａ，５６ｂに対して時計まわりの方向にそれぞれ形成されている。
【００３３】
円筒部５１、底面部５２、開口部５３、環状部５４、受けリブ５５ａ〜５５ｃ、受けリブ５６ａ，５６ｂ、ストッパ５７ａ，５７ｂ、ストッパ５８、及び、ストッパ５９は、上ケース１０と一体に形成されている。
【００３４】
図４及び図６に示すように、プラグ側連結部５０は、プラグ２と、クッション６２と、スプリングプレート６３と、ストッパリブ６４と、を備えている。
【００３５】
プラグ２は、略円柱状の本体部２ａと、本体部２ａの軸方向の一端側に形成され、本体部２ａよりも小径の略円柱形状を有する端子部２ｂと、本体部２ａの外周面に凸状に形成されたリブ２ｃ，２ｄと、を備えている。リブ２ｃ，２ｄは、ストッパもしくは抜け止めの機能を有している。リブ２ｃとリブ２ｄとは、本体部２ａの中心軸に対して対称に形成されている。
上ケース１０の開口部５３ａは、プラグ２の本体部２ａよりも若干大きい形状を有している。上ケース１０の開口部５３ｂ，５３ｃは、プラグ２のリブ２ｃ，２ｄよりもそれぞれ若干大きい形状を有している。
【００３６】
プラグ２は、上ケース１０の開口部５３に挿通され、端子部２ｂが開口部５３よりも突出した状態で保持される。具体的には、プラグ２は、本体部２ａ側より開口部５３ａから挿通されるが、その際、リブ２ｃ，２ｄが開口部５３ｂ，５３ｃを通して挿通され、９０度回転させる。９０度回転させたことにより環状部５４の内面とリブ２ｃ，２ｄとが接触するため、プラグ２が再び開口部５３から軸方向に抜けることを規制している。
上ケース１０の開口部５３ａは、プラグ２の本体部２ａよりも若干大きい形状を有しているため、プラグ２は、その軸と直交する方向に移動可能である。
【００３７】
図４及び図７に示すように、プラグ２の本体部２ａの端子部２ｂとは反対側の外周部の近傍には、上ケース１０のプラグ位置規制リブ１１と、下ケース２０のプラグ位置規制リブ２１と、が形成され、プラグ２が９０度回転した状態から回転しないようにリブ２ｃ，２ｄの回転を規制している。
【００３８】
次に、図６を用いて、プラグ２の保持に関する構造を説明する。
プラグ２の本体部２ａの端子部２ｂ側に対して反対方向の端側（底部２ｅ）には、クッション６２と、スプリングプレート６３と、ストッパリブ６４とが、本体部２ａの軸上であって本体部２ａから離れる方向にこの順番で配置されている。
【００３９】
クッション６２はリング形状を有する、スポンジやゴム等の弾性変形部材である。
クッション６２は、底部２ｅに、クッション６２の外形と本体部２ａの外形とが略一致するように固定されている。
【００４０】
スプリングプレート６３は板バネ等の弾性変形部材であり、上ケース１０とクッション６２との間に挿設されている。詳細には、スプリングプレート６３は、上ケース１０に形成されたストッパリブ６４の両側に配置され、プラグ２側にオフセットしたスプリングプレートストッパ６４ａによって支持され、プラグ２のクッション６２との間に挿設されている。
ストッパリブ６４は、スプリングプレートストッパ６４ａにより、スプリングプレート６３と間隙を有する。
従って、プラグ２は、軸に対する回転が規制され、クッション６２がスプリングプレート６３に接触し、環状部５４の内壁側にリブ２ｃ，２ｄが接触した状態で遊嵌に保持される。
【００４１】
このように、プラグ側連結部５０は、プラグ２が、その軸方向及び軸と直交する方向に移動可能に保持されている。プラグ２はストッパリブ６４側に押し込まれると、クッション６２及びスプリングプレート６３の弾性力によって逆向きの付勢力が付与される。さらにプラグ２がストッパリブ６４側に押し込まれても、ストッパリブ６４によってそれ以上押し込まれることを防止する。
プラグ２がその軸方向からずれて押し込まれても、上ケース１０のプラグ位置規制リブ１１と下ケース２０のプラグ位置規制リブ２１とによって、プラグ２の位置ずれを規制することができる。従って、プラグ２はその軸方向にスムーズに押し込まれる。
【００４２】
次に、図２，図４、図８〜図１０を用いて、接続構造を構成するジャック側連結部７０を説明する。
【００４３】
ジャック側連結部７０は、略円柱状の本体部７１と、本体部７１の先端に位置し、対向する円弧状の辺と対向する直線状の辺とからなる樽形状の先端部７２と、ストッパ７３と、ストッパ７４と、を備えている。
本体部７１、先端部７２、ストッパ７３、及び、ストッパ７４は、上ケース１０と一体に形成されている。
【００４４】
本体部７１には、先端部７２側から見たときにＬ字状に切り欠きされた切欠き部７５ａ，７５ｂが形成されている。
【００４５】
先端部７２は、端面７６に、開口部７７と、Ｃ面部７８と、受けリブ７９ａ，７９ｂ，７９ｃ（第４の受けリブ）と、受けリブ８０ａ，８０ｂ（第３の受けリブ）と、を備えている。
端面７６は、対向する円弧状の辺と対向する直線状の辺とからなる樽形状を有している。
開口部７７は、端面７６の中心に円状に形成されている。
Ｃ面部７８は、開口部７７を囲うようにリング状に形成され、端面７６から開口部７７の中心に向かって傾斜する、すり鉢状の傾斜面である。
先端部７２、端面７６、開口部７７、及び、Ｃ面部７８の各中心は、本体部７１の中心軸上にそれぞれ位置している。
【００４６】
受けリブ８０ａ，８０ｂは、端面７６における対向する円弧状の辺に沿って、それぞれ凸状に形成されている。受けリブ８０ａと受けリブ８０ｂとは、本体部７１の中心軸に対して対称に形成されている。
受けリブ７９ａ〜７９ｃは、受けリブ８０ａ，８０ｂの内周近傍に、本体部７１の中心軸に対して周方向に等間隔に形成され、端面７６に対して凸状の形状となっている。
受けリブ７９ａ，７９ｂ，７９ｃには、それぞれの天面と端面７６とを接続する傾斜面８１ａ，８１ｂ，８１ｃがそれぞれ対応して形成されている。傾斜面８１ａ〜８１ｃは、受けリブ７９ａ〜７９ｃの天面側から見たとき、受けリブ７９ａ〜７９ｃに対して反時計まわりの方向にそれぞれ形成されている。
【００４７】
図９に示すように、本体部７１の受けリブ８０ａに対応する領域には、本体部７１の外周に沿って延在する案内溝８２ａが形成されている。
先端部７２には、案内溝８２ａ側に突出する凸状部８３ａが形成されている。
案内溝８２ａには、凸状部８３ａの近傍にストッパ８４ａが形成されている。
図９は天面から見た図であるが、底面から見た図も同様であり、本体部７１の受けリブ８０ｂに対応する領域には、本体部７１の外周に沿って延在する案内溝８２ｂが形成されており、案内溝８２ｂには、凸状部８３ｂの近傍にストッパ８４ａと中心軸を介して対称の位置にストッパ８４ｂが形成されている。
【００４８】
ストッパ７３，７４は、本体部７１から所定の距離、離れた位置に、本体部７１の中心軸に対して対称に形成されている。
ストッパ７３は、上ケース１０から本体部７１の中心軸と並行して突出する側壁部７３ａと、側壁部７３ａの先端から本体部７１に向かって突出する上壁部７３ｂと、側壁部７３ａの端辺と上壁部７３ｂの端辺とに連接する側壁部７３ｃと、を備えている。側壁部７３ｃは、ストッパ７３の時計まわりの端部に形成されている。
【００４９】
ストッパ７４は、上ケース１０から本体部７１の中心軸と並行して突出する側壁部７４ａと、側壁部７４ａの先端から本体部７１に向かって突出する上壁部７４ｂと、側壁部７４ａから本体部７１に向かって凸状に形成され、本体部７１の中心軸と並行に延在する凸状部７４ｃと、を備えている。凸状部７４ｃは、側壁部７４ａにおける反時計まわり側の端辺から少し手前の位置に形成されている。
【００５０】
ジャック側連結部７０は、ジャック３を備えている。
ジャック３は、取り付け金具４に取り付けられている。取り付け金具４は、上ケース１０と下ケース２０とが組み合わされることによって固定されている。即ち、ジャック３は、ジャック側連結部７０に固定されている。
ジャック３は、プラグ２の端子部２ｂが挿入される挿入口が先端部７２の開口部７７に位置するようにジャック側連結部７０に固定されている。
【００５１】
次に、図１１〜図１７を用いて、複数のクレードル１を連結する手順を説明する。
なお、説明をわかりやすくするために、図１１、図１３、図１７では、一方（左側）のクレードには１ａと符号を付し、他方（右側）のクレードには１ｂと符号を付す。
【００５２】
以下の説明では、クレードル１ａを基準にしてクレードル１ｂを時計まわりに回転させている。それに対して、図１２及び図１４〜図１６では、プラグ側連結部５０の受けリブ５５ａ〜５５ｃ及び受けリブ５６ａ，５６ｂと、ジャック側連結部７０の受けリブ７９ａ〜７９ｃ及び受けリブ８０ａ，８０ｂとの関係をわかりやすくするために、クレードル１ｂのジャック側連結部７０を基準にしてクレードル１ａのプラグ側連結部５０が反時計まわりに回転する状態を表している。
【００５３】
ここで、プラグ側連結部５０の円筒部５１の中心軸から受けリブ５５ａ〜５５ｃの各中心までの距離をＲ１とし、円筒部５１の中心軸から受けリブ５６ａ，５６ｂの各中心までの距離をＲ２とする。ジャック側連結部７０の本体部７１の中心軸から受けリブ７９ａ〜７９ｃの各中心までの距離をＲ３とし、本体部７１の中心軸から受けリブ８０ａ，８０ｂの各中心までの距離をＲ４とする。
Ｒ１〜Ｒ４は、Ｒ１＜Ｒ２、Ｒ３＜Ｒ４、Ｒ１≒Ｒ３、及び、Ｒ２≒Ｒ４の関係を有する。
【００５４】
まず、図１１及び図１２に示すように、クレードル１ａのプラグ側連結部５０とクレードル１ｂのジャック側連結部７０とを対向させ、クレードル１ａに対し、クレードル１ｂを反時計まわりに９０度回転させた状態にする。
この状態では、プラグ２は保持された状態であり、クッション６２及びスプリングプレート６３には負荷がかかっていない。
【００５５】
次に、図１３及び図１４に示すように、ジャック側連結部７０の先端部７２及び本体部７１は、クレードル１ｂのジャック側連結部７０の先端部７２の端面７６が、クレードル１ａのプラグ側連結部５０の底面部５２に接近するように、プラグ側連結部５０の円筒部５１の内部に押し込まれる。
ジャック側連結部７０の先端部７２及び本体部７１の外径は、先端部７２及び本体部７１がプラグ側連結部５０の円筒部５１の内部に挿入できるように、プラグ側連結部５０の円筒部５１の内径よりも若干小さくなっている。
【００５６】
ジャック側連結部７０の先端部７２にはＣ面部７８が形成されている。このＣ面部７８によって、プラグ側連結部５０のプラグ２の端子部２ｂは、ジャック側連結部７０のジャック３の内部に案内される。そのため、プラグ２をジャック３にスムーズに挿入することができる。従って、プラグ２は、クレードル１ａに対して、軸方向と直交する方向にも所定の範囲で動くことが許容されるが、その許容範囲はジャック３が挿入される過程において、Ｃ面部７８による位置補正が可能な範囲である。
【００５７】
図１４に示すように、ジャック側連結部７０の先端部７２及び本体部７１が、プラグ側連結部５０の円筒部５１の内部に押し込まれると、プラグ２は、ジャック３の内部に押し込まれ、かつ、ジャック３へ押し込まれる反作用でプラグ２がクッション６２を介してスプリングプレート６３を弾性変形させる。
【００５８】
プラグ側連結部５０の受けリブ５６ａ，５６ｂと、ジャック側連結部７０の受けリブ８０ａ，８０ｂとは、プラグ側連結部５０に対し、ジャック側連結部７０が反時計まわりに９０度回転させた状態で、それぞれ対向するように形成されている。
そのため、ジャック側連結部７０の先端部７２及び本体部７１が、プラグ側連結部５０の円筒部５１の内部に押し込まれた、図１４に示す状態（第１の状態）では、プラグ側連結部５０の受けリブ５６ａ，５６ｂの天面とジャック側連結部７０の受けリブ８０ａ，８０ｂの天面とがそれぞれ当接する。
【００５９】
即ち、受けリブ５６ａ，５６ｂと受けリブ８０ａ，８０ｂとが当接することによって、プラグ２が押し込まれる量（移動量）が制限される。そのため、プラグ２はジャック３の奥まで押し込まれないので、プラグ２及びジャック３には強い衝撃が加わらない。
クッション６２及びスプリングプレート６３は、プラグ２に対して弾性変形部材として機能するため、プラグ２がジャック３に押し込まれたときの衝撃を吸収する。
【００６０】
従って、ジャック側連結部７０の先端部７２及び本体部７１が、プラグ側連結部５０の円筒部５１の内部に押し込まれても、受けリブ５６ａ，５６ｂ及び受けリブ８０ａ，８０ｂによってプラグ２が押し込まれる量が制限される。クッション６２及びスプリングプレート６３は弾性変形部材として機能する。そのため、接続端子であるプラグ２及びジャック３が破損することを防止できる。
【００６１】
次に、クレードル１ｂを、クレードル１ａに対して時計まわりに回転させた、図１５に示す状態（第２の状態）にする。
なお、クレードル１ｂを、クレードル１ａに対して反時計まわりに回転させると、ジャック側連結部７０の切欠き部７５ａの側壁８５ａが、プラグ側連結部５０のストッパ５７ａに当たる。同様に、ジャック側連結部７０の切欠き部７５ｂの側壁８５ｂが、プラグ側連結部５０のストッパ５７ｂに当たる。
そのため、クレードル１ｂを、クレードル１ａに対して、誤って反時計まわりに回転させることはできない。
【００６２】
図１５の説明に戻る。
ジャック側連結部７０の受けリブ８０ａが、プラグ側連結部５０の傾斜面６１ａ上を移動して底面部５２に当接する。同様に、ジャック側連結部７０の受けリブ８０ｂが、プラグ側連結部５０の傾斜面６１ｂ上を移動して底面部５２に当接する。従って、ジャック側連結部７０は、受けリブ５６ａ，５６ｂの高さ分、さらにプラグ側連結部５０に押し込まれる。
【００６３】
これにより、プラグ２はジャック３に押し込まれ、保持される。接続端子であるプラグ２とジャック３とは電気的に接続される。
このとき、プラグ２には、クッション６２及びスプリングプレート６３の弾性力によって、押し込まれる方向の付勢力が付与されている。
【００６４】
受けリブ８０ａ，８０ｂが傾斜面６１ａ，６１ｂ上を移動して底面部５２に当接するので、プラグ２はジャック３の奥まで徐々に押し込まれる。そのため、プラグ２及びジャック３には強い衝撃が加わらないので、接続端子であるプラグ２及びジャック３が破損することを防止できる。
【００６５】
さらに、クレードル１ｂを、クレードル１ａに対して時計まわりに回転させた、図１６に示す状態（第３の状態）にする。
図１６に示すように、プラグ側連結部５０の受けリブ５５ａとジャック側連結部７０の受けリブ７９ａとが接近し、互いの傾斜面６０ａ，８１ａ上を移動して上面どうしが当接する。同様に、受けリブ５５ｂと受けリブ７９ｂとが接近し、互いの傾斜面６０ｂ，８１ｂ上を移動して上面どうしが当接する。また、受けリブ５５ｃと受けリブ７９ｃとが接近し、互いの傾斜面６０ｃ，８１ｃ上を移動して上面どうしが当接する。
【００６６】
ここで、受けリブ８０ａ，８０ｂのそれぞれの高さをＨ１、受けリブ５５ａ〜５５ｃのそれぞれの高さをＨ２、受けリブ７９ａ〜７９ｃのそれぞれの高さをＨ３とする。
Ｈ１〜Ｈ３は、Ｈ１＜（Ｈ２＋Ｈ３）、Ｈ１≧Ｈ３の関係を有する。
【００６７】
従って、ジャック側連結部７０は、（Ｈ２＋Ｈ３−Ｈ１）の高さ分、挿入方向とは反対方向に押し戻される。
プラグ２は、ジャック３に保持されており、クッション６２及びスプリングプレート６３の弾性力によって押し込まれる方向の付勢力から開放される。その結果、プラグ２は、ジャック３により保持され、クレードル１ａに対しては遊嵌な状態となり、クレードル１ｂに保持された状態となる。
【００６８】
クレードル１ｂを、クレードル１ａに対して時計まわりに回転させると、プラグ側連結部５０のストッパ５７ａはジャック側連結部７０の案内溝８２ａに案内され、凸状部８３ａを乗り越え、ストッパ８４ａに当たる。同様に、プラグ側連結部５０のストッパ５７ｂはジャック側連結部７０の案内溝８２ｂに案内され、凸状部８３ｂを乗り越え、ストッパ８４ｂに当たる。そのため、それ以上、クレードル１ｂを時計まわりに回転させることはできず、ロック状態となる。
【００６９】
プラグ側連結部５０のストッパ５９の凸状部５９ｃがジャック側連結部７０のストッパ７４の凸状部７４ｃを乗り越え、ストッパ５８がジャック側連結部７０のストッパ７３の側壁部７３ｃに当たる。そのため、それ以上、クレードル１ｂを時計まわりに回転させることはできず、ロック状態となる。
【００７０】
このようにして、図１７に示すように、クレードル１ａのプラグ側連結部５０とクレードル１ｂのジャック側連結部７０とが嵌合され、接続が完了し連結される。
なお、図１７に示す連結状態では、プラグ２にはクッション６２及びスプリングプレート６３による負荷がかかっていない。
【００７１】
クレードル１ａのプラグ側連結部５０とクレードル１ｂのジャック側連結部７０とが連結されている状態で、落下などの不慮の事故で連結部に負荷がかかっても、一方のクレードルのジャック３によって他方のプラグ２が保持されるため、接続端子であるプラグ２及びジャック３が破損することを防止できる。
【００７２】
このように、電子機器の一形態であるクレードル１は、他のクレードル１のジャック側連結部７０と連結するプラグ側連結部５０と、他のクレードル１のプラグ側連結部５０と連結するジャック側連結部７０と、からなる接続構造を備えている。
【００７３】
なお、本発明に係る実施形態は、上述した構成に限定されるものではなく、本発明の要旨を逸脱しない範囲において種々変更可能である。
【００７４】
例えば、別の形態として、複数連結する構造ではなく、同軸構造で複数の電極を備える単頭プラグとジャックとの接続構造でもよい。即ち、イヤホン、ヘッドホン、マイク等の機器がプラグ側の構造を備え、この機器が接続される側に今回のジャック側の構造を備えてもよい。
【符号の説明】
【００７５】
１  クレードル（電子機器）
２  プラグ（第１の接続端子）
３  ジャック（第２の接続端子）
５０  プラグ側連結部（第１の接続部）
５１  円筒部
５２  底面部
５５ａ〜５５ｃ，５６ａ，５６ｂ，７９ａ〜７９ｃ，８０ａ，８０ｂ  受けリブ
６２  クッション
６３  スプリングプレート
６４  ストッパリブ
７０  ジャック側連結部（第２の接続部）
７１  本体部
７２  先端部
【図１】
2016051541.tif 000003
【図２】
2016051541.tif 000004
【図３】
2016051541.tif 000005
【図４】
2016051541.tif 000006
【図５】
2016051541.tif 000007
【図６】
2016051541.tif 000008
【図７】
2016051541.tif 000009
【図８】
2016051541.tif 000010
【図９】
2016051541.tif 000011
【図１０】
2016051541.tif 000012
【図１１】
2016051541.tif 000013
【図１２】
2016051541.tif 000014
【図１３】
2016051541.tif 000015
【図１４】
2016051541.tif 000016
【図１５】
2016051541.tif 000017
【図１６】
2016051541.tif 000018
【図１７】
2016051541.tif 000019